(57)【要約】【課題】乗場の意匠を損なうことなく、乗客が乗場ドアに接近することを抑止することのできるエレベータのドア安全装置の提供。【解決手段】乗場ドア２から所定距離の第１の感知範囲９に乗客が入ったことを感知する第１の感知器８と、感知器８の感知に応じ乗場ドア２をスクリーンとして接近注意を喚起する注意喚起映像１１を映写する映写機１０と、乗客が感知範囲９よりさらに乗場ドア２に近接した第２の感知範囲１３に入ったことを感知する第２の感知器１２と、三方枠３に設けられ感知器１２の感知に応じて強光１５を照射する照射器１４とを備え、乗客が乗場ドア２に危険なほど接近する前に映像により注意喚起するとともに、異常接近した場合、強光１５を照射し、乗客に対して視覚的に強烈な刺激を与え乗場ドア２から離れるように促す。【選択図】      図１
2004345762.tif 000002
【特許請求の範囲】
【請求項１】
複数の階床に渡って昇降路内を昇降する乗かごと、各階床の乗場と前記昇降路との境に設置される乗場ドアと、この乗場ドアの周囲に設置された三方枠とを備えたエレベータに設けられ、前記乗場ドアの開扉に伴いこの乗場ドアと前記三方枠間に乗客の手が挟まれることを防止するエレベータのドア安全装置おいて、
前記乗場の天井に設けられ、前記乗場ドアから所定距離の第１の感知範囲に乗客が入ったことを感知する第１の感知器と、この第１の感知器の感知に応じ、前記乗場ドアをスクリーンとして前記乗場ドアへの接近注意を喚起する注意喚起映像を映写する映写機とを備えたことを特徴とするエレベータのドア安全装置。
【請求項２】
乗客が前記第１の感知範囲よりさらに前記乗場ドアに近接した第２の感知範囲に入ったことを感知する第２の感知器と、前記三方枠に設けられ、前記第２の感知器の感知に応じて強光を照射する照射器とを備えたことを特徴とする請求項１記載のエレベータのドア安全装置。
【請求項３】
前記映写機は、エレベータと連動し、前記乗場ドアの閉扉時に前記注意喚起映像を映写することを特徴とする請求項１記載のエレベータのドア安全装置。
【請求項４】
前記映写機は、前記第１の感知器および前記第２の感知器が乗客を感知していない通常時、前記乗場ドアをスクリーンとして一般情報映像を映写することを特徴とする請求項１記載のエレベータのドア安全装置。
【発明の詳細な説明】
【０００１】
【発明の属する技術分野】
本発明は、エレベータのドア安全装置に係り、特に、乗場ドアの開扉に伴いこの乗場ドアと三方枠間に乗客の手が挟まれることを防止するエレベータのドア安全装置に関する。
【０００２】
【従来の技術】
従来のエレベータの乗場ドアについて図５および図６を参照して説明する。
【０００３】
図５は従来のエレベータの乗場を示す正面図、図６は乗場ドアの平面図である。
【０００４】
従来のエレベータは図５および図６に示すように、エレベータを利用する乗客が待機する乗場１と、乗場１と乗かごが昇降する図示しない昇降路との境に設置される乗場ドア２と、この乗場ドア２の周囲に設置された三方枠３と、乗場１に設けられ、乗場呼びを登録する乗場呼び釦４と、乗場１の上方に位置する乗場天井５と、乗場ドア２に貼り付けられ乗客６に注意喚起を促す注意喚起シール７とを備えている。
【０００５】
このように構成した従来のエレベータにあっては、注意喚起シール７により乗客６に注意を喚起することにより、乗場ドア２が開扉し乗場ドア２が三方枠３方向へ移動する際、図６に示すように乗場ドア２と三方枠３との間に乗客６の手６ａが挟まれる事故を防止する。
【０００６】
また、従来、乗客が乗場ドアに接触したことセンサにより検知し、この検知に応じて音声により注意を促すものが提案されている。（例えば、特許文献１参照。）。
【０００７】
さらに、従来、乗客が乗場ドアに近づいたことを検出する光電装置と、乗客が乗場ドアに接触したことを検出するセンサとを設け、光電装置の検出に応じて音声により注意を促すとともに、光電装置およびセンサのそれぞれの検出に応じて警報ランプにより注意を促すものが提案されている。（例えば、特許文献２参照。）。
【０００８】
さらにまた、乗場ドア若しくは三方枠をスクリーンとし、エレベータの設置されるビルの催物、売場の案内、各階床のテナントの案内等の映像を映写するものが提案されている。（例えば、特許文献３参照。）。
【０００９】
【特許文献１】
特開平６−３４５３６８号公報
（段落番号０００９−００１０、第１図）
【００１０】
【特許文献２】
特開平８−４０６７７号公報
（段落番号００１４−００１８、第１図）
【００１１】
【特許文献３】
実開平３−２５４７３号公報  （第１頁、第１図）
【００１２】
【発明が解決しようとする課題】
ところで、前述した従来のものでは、人目につく乗場ドアに注意喚起シールを貼り付けることから美観を損なうという問題があった。また、他のものでは、乗客が乗場ドアに接触した時、或いは乗客が乗場ドアに異常接近した時に注意喚起を促すが、乗客がこの注意喚起を認知し、かつ認知に応じた行動をとるまでには時間を要する。このため乗客が行動をとる前に乗場ドアが開き手等を挟まれる恐れがあった。さらに、特許文献３に記載されるものは、乗場ドア若しくは三方枠をスクリーンとしてエレベータの設置されるビルの催物、売場の案内、各階床のテナントの案内等を行なうものであり、乗客が乗場ドアへ接近、若しくは接触することを抑止するものではなかった。
【００１３】
本発明はこのような従来技術における実情に鑑みてなされたもので、その目的は、乗場の意匠を損なうことなく、乗客が乗場ドアに接近することを抑止することのできるエレベータのドア安全装置を提供することにある。
【００１４】
【課題を解決するための手段】
この目的を達成するために本発明の請求項１に係る発明は、複数の階床に渡って昇降路内を昇降する乗かごと、各階床の乗場と前記昇降路との境に設置される乗場ドアと、この乗場ドアの周囲に設置された三方枠とを備えたエレベータに設けられ、前記乗場ドアの開扉に伴いこの乗場ドアと前記三方枠間に乗客の手が挟まれることを防止するエレベータのドア安全装置おいて、前記乗場の天井に設けられ、前記乗場ドアから所定距離の第１の感知範囲に乗客が入ったことを感知する第１の感知器と、この第１の感知器の感知に応じ、前記乗場ドアをスクリーンとして前記乗場ドアへの接近注意を喚起する注意喚起映像を映写する映写機とを備えた構成にしてある。
【００１５】
前記のように構成した本発明の請求項１に係る発明によれば、乗場ドアから所定距離の第１の感知範囲に乗客が入ったことを第１の感知器が感知すると、映写機は乗場ドアをスクリーンとして乗場ドアへの接近注意を喚起する注意喚起映像を映写する。これにより乗客は乗場ドアに危険となるほど接近する前に注意喚起映像により注意が喚起され、それ以上乗場ドアに近づくことが抑止される。また、従来のように乗場ドアにシール等を貼り付けることを要さないため、乗場の意匠を損なうこともない。
【００１６】
また、本発明の請求項２記載に係る発明は、乗客が前記第１の範囲よりさらに前記乗場ドアに近接した第２の感知範囲に入ったことを感知する第２の感知器と、前記三方枠に設けられ、前記第２の感知器の感知に応じて強光を照射する照射器とを備えた構成にしてある。
【００１７】
前記のように構成した本発明の請求項２に係る発明によれば、乗客が前述した第１の感知範囲よりさらに乗場ドアに接近して第２の感知範囲に入ると、第２の感知器がこの異常接近を感知し、これに応じて照射器は強光の照射を行なう。これにより乗場ドアに異常接近した乗客は視覚的に強烈な刺激を受けることにより身の危険を感じ、乗場ドアから離れるように促される。
【００１８】
【発明の実施の形態】
以下、本発明のエレベータのドア安全装置の実施の形態を図に基づいて説明する。
【００１９】
図１はエレベータのドア安全装置の一実施形態を示す要部縦断面図、図２はエレベータの乗場の正面概略図、図３は第１の感知器が動作したときの状態を示す要部断面図、図４は第２の感知器が動作したときの状態を示す要部断面図である。なお、前述した図５、図６に示すものと同等のものには同一符号が付してある。すなわち、１は乗場、２は乗場ドア、３は三方枠、４は乗場呼び釦、５は乗場天井、６は乗客である。
【００２０】
本実施形態のドア安全装置は図１に示すように、乗場天井５に設けられ、乗場ドア２から所定距離の第１の感知範囲９に乗客６が入ったことを感知する第１の感知器８と、第１の感知器８の感知に応じ、乗場ドア２をスクリーンとして乗場ドア２への接近注意を喚起する注意喚起映像１１を映写する映写機１０と、乗客６が第１の感知範囲９よりさらに乗場ドア２に近接した第２の感知範囲１３に入ったことを感知する第２の感知器１２と、三方枠３に設けられ、第２の感知器１２の感知に応じて強光１５を照射する照射器１４とを備えている。また、前記の映写機１０は、エレベータと連動し、図３に示すように乗場ドア２の閉扉時に注意喚起映像１１を映写するとともに、第１の感知器８および第２の感知器１２が乗客６を感知していない通常時、図１に示すように乗場ドア２をスクリーンとして一般情報映像１６、例えばエレベータの設置されるビルの催物、売場の案内、各階床のテナントの案内を映写するようになっている。
【００２１】
この実施形態にあっては、図１に示すように乗場ドア２から離れた位置にいた乗客６が、図３に示すように乗場ドア２から所定距離の第１の感知範囲９に入ると、第１の感知器８がこれを感知する。この第１の感知器８の感知に応じて映写機１０は図２にも示すように乗場ドア２をスクリーンとして乗場ドア２への接近注意を喚起する注意喚起映像１１を映写する。また、図４に示すように、注意喚起映像１１の映写にもかかわらず乗客６がさらに乗場ドア２に接近し第２の感知範囲に入ると、第２の感知器１２がこれを感知し、これに応じて照射器１４は乗客６に向けて強光１５の照射を行なう。一方、図１に示すように、第１の感知器８および第２の感知器１２が乗客６を感知していない通常時、乗場ドア２をスクリーンとして一般情報映像１６、例えばエレベータの設置されるビルの催物、売場の案内、各階床のテナントの案内を映写し、乗客６はエレベータを待つ間、これらの一般情報映像１６を楽しむことができる。
【００２２】
このように構成した実施形態では、乗客６は乗場ドア２に危険となるほど接近する前に注意喚起映像１１により注意が喚起され、それ以上乗場ドア２に近づくことが抑止される。また、乗客６が乗場ドア２に異常接近すると照射器１４により強光１５が照射されることにより、乗客６は視覚的に強烈な刺激を受け、身の危険を感じて乗場ドア２から離れるように促される。さらに、強光１５が照射された乗客６は眩しさから図４に示すように自然と自分の手６ａにより遮光するよう促され、したがって乗場ドア２に手を置くことに伴う危険を回避することができる。また、従来のように乗場ドア２にシール等を貼り付けることを要さないため、乗場１の意匠を損なうこともない。さらに、通常時、乗場ドア２をスクリーンとして一般情報映像１６を映写することによりエレベータを待つ乗客へのサービス性の向上を図ることもできる。
【００２３】
【発明の効果】
本発明によれば、乗客は乗場ドアに危険となるほど接近する前に注意喚起映像により注意が喚起され、それ以上乗場ドアに近づくことが抑止されるとともに、乗客が乗場ドアに異常接近すると照射器により強光が照射されることにより、乗客は視覚的に強烈な刺激を受け、身の危険を感じて乗場ドアから離れるように促される。これによって、乗場ドアと三方枠間に乗客の手等が挟まれることを効果的に防止することができる。また、注意喚起のために従来のように乗場ドアにシール等を貼り付けることを要さないため、乗場の意匠を損なうこともない。さらに、通常時、乗場ドアをスクリーンとして一般情報映像を映写することによりエレベータを待つ乗客へのサービス性の向上を図ることもできる。
【図面の簡単な説明】
【図１】エレベータのドア安全装置の一実施形態を示す要部縦断面図である。
【図２】エレベータの乗場の正面概略図である。
【図３】第１の感知器が動作したときの状態を示す要部断面図である。
【図４】第２の感知器が動作したときの状態を示す要部断面図である。
【図５】従来のエレベータの乗場を示す正面図である。
【図６】乗場ドアの平面図である。
【符号の説明】
１  乗場
２  乗場ドア
３  三方枠
４  乗場呼び釦
５  乗場天井
６  乗客
７  注意喚起シール
８  第１の感知器
９  第１の感知範囲
１０  映写機
１１  注意喚起映像
１２  第２の感知器
１３  第２の感知範囲
１４  照射器
１５  強光
１６  一般情報映像
【図１】
2004345762.tif 000003
【図２】
2004345762.tif 000004
【図３】
2004345762.tif 000005
【図４】
2004345762.tif 000006
【図５】
2004345762.tif 000007
【図６】
2004345762.tif 000008